(57)【要約】      （修正有）【課題】組立に要するボルトやビス止めの数を極力減らし、組立が容易な組立式クローゼットハンガーを提供する。【解決手段】左右に配置される側壁パネル１、２と、支柱３の両側に揺動自在に取り付けられたハンガーパイプ３１、３１、３２と、このハンガーパイプ３１、３１の先端に取り付けられた舌片と、側壁パネル１、２に取り付けられ舌片が嵌め込まれる連結金具６とを、備え、側壁パネル１、２の連結金具６にハンガーパイプ３１、３１、３２の舌片を嵌め込み、左右の側壁パネル１、２間にハンガーパイプ３１、３１、３２が取り付けられる。【選択図】図１
2014204803.tif 000002
【特許請求の範囲】
【請求項１】
左右に配置される側壁パネルと、縦桟部材の両側に揺動自在に取り付けられたハンガーパイプと、このハンガーパイプの先端に取り付けられた舌片と、前記側壁パネルに取り付けられ前記舌片が嵌め込まれる連結金具とを、備え、前記側壁パネルの連結金具に前記ハンガーパイプの舌片を嵌め込み、前記左右の側壁パネル間に前記ハンガーパイプが取り付けられることを特徴する組立式クローゼットハンガー。
【請求項２】
前記連結金具は、前記舌片が嵌め込まれる収納凹所と、この収納凹所に設けられた貫通穴とを有し、前記舌片に前記貫通穴に入り込む凸部が形成されていることを特徴とする請求項１に記載の組立式クローゼットハンガー。
【請求項３】
前記ハンガーパイプに、内パイプが挿入され、その長さが伸縮自在に形成され、前記内パイプの先端に、前記連結金具に嵌め込まれる舌片が設けられていることを特徴とする請求項１又は請求項２に記載の組立式クローゼットハンガー。
【請求項４】
前記縦桟部材が一対の縦パイプ間を横桟により接続されて構成され、縦パイプの上端部の両側に天板受けパイプが揺動自在に取り付けられるとともに、前記天板受けパイプの先端に舌片が取り付けられ、前記側壁パネルに天板受けパイプの舌片が嵌め込まれる連結金具が取り付けられていることを特徴とする請求項１に記載の組立式クローゼットハンガー。
【請求項５】
少なくとも一方の側壁パネルがラックの一面で構成されていることを特徴とする請求項１に記載の組立式クローゼットハンガー。
【請求項６】
前記ラックは、側壁パネルにヒンジにより前面板と背面板が取り付けられ、前記前面板と背面板を側壁パネルに対して直交方向に開くと前方に開口した箱形体に形成されることを特徴とする請求項５に記載の組立式クローゼットハンガー。
【請求項７】
前記側壁パネル、背面板と前面板に連結金具が取り付けられ、ラック天板、ラック地板、ラック固定棚に前記連結金具に嵌め込まれる取付金具が取り付けられ、前記連結金具に取付金具を嵌め込むことにより、前記側壁パネル、背面板と前面板に、ラック天板、ラック地板、ラック固定棚が固定されることを特徴とする請求項６に記載の組立式クローゼットハンガー。
【請求項８】
前記連結金具は、収納凹所と、この収納凹所に設けられた貫通穴とを有し、前記取付金具に前記収納凹所に嵌め込まれる舌片と、前記舌片に前記貫通穴に入り込む凸部が形成されていることを特徴とする請求項７に記載の組立式クローゼットハンガー。
【発明の詳細な説明】
【技術分野】
【０００１】
この発明は、衣服等を収容するクローゼットハンガーに係り、組立作業を容易に行うことができる組立式クローゼットハンガーに関するものである。
【背景技術】
【０００２】
工場で生産した部材を梱包して販売する組立式家具は、原則として開梱と組立が購入者の負担となる。このような生産者が組み立て工程を省く商品は多岐にわたる。組立式家具の中で、衣服を収納する組立式クローゼットハンガーが種々販売されている。
【０００３】
従来、この種の組立式クローゼットハンガーは、左右両側に側壁パネルを立設し、両パネルをパイプ製の横桟で連結している。そして、パイプ製の横桟が伸縮することにより、左右両側に側壁パネルの間隔が変更可能になっているものも知られている（例えば、特許文献１参照）。
【先行技術文献】
【特許文献】
【０００４】
【特許文献１】特開２００９−２４７３９８号公報
【発明の概要】
【発明が解決しようとする課題】
【０００５】
しかしながら、上記の組立式クローゼットハンガーは、側壁パネルと横桟とをボルトやビス等を用いて固定している。このため、その組み立て作業に多くのボルトの締め付けやビス止めの工程を必要とし、組み立て作業に時間がかかるなどの難点がある。そして、大きな家具になればなるほどその部品点数は多くなり、ボルトやビスの数も多くなると共に、側壁パネル等の部品自体も大型化し、女性などでは組立が難しい等の問題があった。
【０００６】
そこで、この発明は、組立に要するボルトやビス止めの数を極力減らし、組立が容易な組立式クローゼットハンガーを提供することを課題とするものである。
【課題を解決するための手段】
【０００７】
この発明は、上記の課題を解決するために、左右に配置される側壁パネルと、縦桟部材の両側に揺動自在に取り付けられたハンガーパイプと、このハンガーパイプの先端に取り付けられた舌片と、前記側壁パネルに取り付けられ前記舌片が嵌め込まれる連結金具とを、備え、前記側壁パネルの連結金具に前記ハンガーパイプの舌片を嵌め込み、前記左右の側壁パネル間にハンガーパイプが取り付けられるように構成したものである。
【０００８】
また、前記連結金具は、前記舌片が嵌め込まれる収納凹所と、この収納凹所に設けられた貫通穴とを有し、前記舌片に前記貫通穴に入り込む凸部を形成するように構成することができる。
【０００９】
また、前記ハンガーパイプに、内パイプが挿入され、その長さが伸縮自在に形成され、前記内パイプの先端に、前記連結金具に嵌め込まれる舌片が設けられているように構成することができる。
【００１０】
また、前記縦桟部材が一対の縦パイプ間を横桟により接続されて構成され、縦パイプの上端部の両側に天板受けパイプが揺動自在に取り付けられるとともに、前記天板受けパイプの先端に舌片が取り付けられ、前記側壁パネルに天板受けパイプの舌片が嵌め込まれる連結金具が取り付けられているように構成することができる。
【００１１】
また、少なくとも一方の側壁パネルがラックの一面で構成することができ、前記ラックは、側壁パネルにヒンジにより前面板と背面板が取り付けられ、前記前面板と背面板を側壁パネルに対して直交方向に開くと前方に開口した箱形体に形成されるように構成することができる。
【００１２】
また、前記側壁パネル、背面板と前面板に連結金具が取り付けられ、ラック天板、ラック地板、ラック固定棚に前記連結金具に嵌め込まれる取付金具が取り付けられ、前記連結金具に取付金具を嵌め込むことにより、前記側壁パネル、背面板と前面板に、ラック天板、ラック地板、ラック固定棚が固定されるように構成することができる。
【００１３】
また、前記連結金具は、前記収納凹所と、この収納凹所に設けられた貫通穴とを有し、前記取付金具に前記収納凹所に嵌め込まれる舌片と、前記舌片に前記貫通穴に入り込む凸部が形成されているように構成することができる。
【発明の効果】
【００１４】
この発明においては、上記のように、ハンガーパイプと側壁パネルとは、連結金具にハンガーパイプの舌片を嵌め込むことで組立が行え、ボルトによる固定を大幅に省くことができる。
【図面の簡単な説明】
【００１５】
【図１】この発明の第１の実施形態の組立式クローゼットハンガーを正面側から見た斜視図である。
【図２】この発明の第１の実施形態の組立式クローゼットハンガーを背面側から見た斜視図である。
【図３】この発明の第１の実施形態の組立式クローゼットハンガーの正面図である。
【図４】この発明の第１の実施形態に用いられる支柱のハンガーパイプを開いた状態を示す斜視図である。
【図５】この発明の第１の実施形態に用いられる支柱のハンガーパイプを開いた状態を示す正面図である。
【図６】この発明の第１の実施形態に用いられる支柱のハンガーパイプを閉じた状態を示す正面図である。
【図７】この発明の第１の実施形態に用いられるハンガーパイプの内パイプを縮めた状態を示す正面図である。
【図８】この発明の第１の実施形態に用いられるハンガーパイプの内パイプを伸ばした状態を示す正面図である。
【図９】この発明の第１の実施形態に用いられるハンガーパイプの要部を示す斜視図である。
【図１０】この発明の第１の実施形態に用いられる連結金具を示す斜視図である。
【図１１】この発明の第１の実施形態に用いられる連結金具を示す斜視図である。
【図１２】この発明の第１の実施形態に用いられる連結金具を側壁パネルに取りつけた状態を示す正面図である。
【図１３】この発明の第１の実施形態に用いられる側壁パネルを示す斜視図である。
【図１４】この発明の第１の実施形態に用いられる側壁パネルを示す斜視図である。
【図１５】この発明の第１の実施形態の側壁パネルに支柱のハンガーパイプを取り付けた状態を示す斜視図である。
【図１６】この発明の連結金具にハンガーパイプを取り付ける状態を示す斜視図である。
【図１７】この発明の連結金具にハンガーパイプを取り付けた状態を示す斜視図である。
【図１８】この発明の第１の実施形態の二つの側壁パネルに支柱のハンガーパイプを取り付けた状態を示す斜視図である。
【図１９】この発明の第１の実施形態の二つの側壁パネルに支柱のハンガーパイプを取り付けた状態を示す正面図である。
【図２０】この発明の第１の実施形態の二つの側壁パネルに上部固定パイプを取り付けた状態を示す斜視図である。
【図２１】この発明の第１の実施形態の二つの側壁パネルに上部固定パイプを取り付けた状態を示す正面図である。
【図２２】この発明の第１の実施形態の組立式クローゼットハンガーの内パイプを伸ばした状態の斜視図である。
【図２３】この発明の第１の実施形態の組立式クローゼットハンガーの内パイプを伸ばした状態の正面図である。
【図２４】この発明の第２の実施形態の組立式クローゼットハンガーを正面側から見た斜視図である。
【図２５】この発明の第２の実施形態に用いられる仕切りパイプの各パイプを開いた状態を示す斜視図である。
【図２６】この発明の第２の実施形態に用いられる仕切りパイプの各パイプを開いた状態を示す正面図である。
【図２７】この発明の第２の実施形態に用いられる仕切りパイプの各パイプを閉じた状態を示す斜視図である。
【図２８】この発明の第２の実施形態に用いられる仕切りパイプの各パイプを閉じた状態を示す側面図である。
【図２９】この発明の第２の実施形態に用いられる仕切りパイプの各パイプを閉じた状態を示す正面図である。
【図３０】この発明の第２の実施形態に用いられるラックの側壁パネル、前面板、背面板を示す斜視図である。
【図３１】この発明の第２の実施形態に用いられるラックの側壁パネル、前面板、背面板を示す斜視図である。
【図３２】この発明の第２の実施形態に用いられるラックの側壁パネル、前面板、背面板を示す正面図である。
【図３３】この発明の第２の実施形態に用いられるラックのラック天板（ラック地板）を示す斜視図である。
【図３４】この発明の第２の実施形態に用いられるラックのラック天板（ラック地板）を示す上面図である。
【図３５】この発明の第２の実施形態に用いられるラックを組み立てる状態を示す正面図である。
【図３６】この発明の第２の実施形態に用いられるラックを組み立てる状態を示す要部を拡大した斜視図である。
【図３７】この発明の第２の実施形態に用いられるラックを組み立てる状態を示す要部を拡大した斜視図である。
【図３８】この発明の第２の実施形態に用いられるラックを組み立てた状態を示す正面図である。
【図３９】この発明の第２の実施形態に用いられるラックを組み立てた状態を示す斜視図である。
【図４０】この発明の第２の実施形態のラックに仕切りパイプの各パイプを取り付けた状態を示す斜視図である。
【図４１】この発明の第２の実施形態のラックに仕切りパイプの各パイプを取り付けた状態を示す正面図である。
【図４２】この発明の第２の実施形態のラックに仕切りパイプの各パイプを取り付けた状態を示す側面図である。
【図４３】この発明の第２の実施形態のラックと側壁パネルの間に仕切りパイプの各パイプを取り付けた状態を示す斜視図である。
【図４４】この発明の第２の実施形態のラックと側壁パネルの間に仕切りパイプの各パイプを取り付けた状態を示す正面図である。
【図４５】この発明の第２の実施形態のラックと側壁パネルに上部固定パイプを取り付けた状態を示す斜視図である。
【図４６】この発明の第２の実施形態のラックと側壁パネルに上部固定パイプを取り付けた状態を示す正面図である。
【図４７】この発明の第２の実施形態のラックと側壁パネルに横桟部材を取り付けた状態を示す斜視図である。
【図４８】この発明の第２の実施形態のラックと側壁パネルに横桟部材を取り付けた状態を示す背面図である。
【図４９】この発明の第２の実施形態の天板受けパイプに網棚を取り付けた状態を示す斜視図である。
【図５０】この発明の第２の実施形態の組立式クローゼットハンガーの内パイプを伸ばした状態の斜視図である。
【発明を実施するための形態】
【００１６】
この発明の実施形態を添付図面に基づいて具体的に説明する。なお、本発明に係る組立式クローゼットハンガーは、下記の実施形態に示したものに限定されず、その要旨を変更しない範囲において適宜変更して実施できるものである。
【００１７】
図１〜図３は、この発明の第１の実施形態にかかる組立式クローゼットハンガーを示している。この組立式クローゼットハンガーは、左右両側に側壁パネル１、２が配置され、両パネル間１、２間に縦桟部材としての支柱３の上端の両側に揺動自在に取り付けられた横桟としてのハンガーパイプ３１、３１が取り付けられる。この支柱３の一方の側の中部には、ハンガーパイプ３２が揺動自在に取り付けられ、このハンガーパイプ３２が片方のパネル１に取り付けられる。これらハンガーパイプ３１、３１、３２に衣服が掛けられたハンガーが吊され、衣服が収納される。このハンガーパイプ３１、３１、３２と側壁パネル１、２との取り付けについては後述する。
【００１８】
側壁パネル１、２の上端の正面側と背面側には、それぞれ上部固定パイプ４、４がボルト４１を用いて固定されている。更に、パネル１、２の背面側の中央部には、一対の横パイプ５１を縦パイプ５２で接続した横桟部材５がボルト５３を用いて固定されている。
【００１９】
図示はしないが、上部固定パイプ４、４の上に天板が載置され、正面側の上部固定パイプ４にカーテン等が必要に応じて取り付けられる。
【００２０】
上記した各パイプ３１、３２，４には、内パイプがそれぞれ挿入されており、左右両側に側壁パネル１，２の間隔が自由に変更可能に構成されている。所定の間隔に設定すると、ねじ付きつまみ９により、内パイプを固定する。
【００２１】
上記した組立式クローゼットハンガーは、ボルトによる固定をできるだけ減らしている。このため、支柱３に取り付けたハンガーパイプ３１、３１、３２とパネル１、２との取り付けを側壁パネル１、２に取り付けた連結金具６にハンガーパイプ３１、３１、３２の先端に設けた舌片を嵌め込むことにより固定し、組み立て作業を簡易化している。以下、支柱３、側壁パネル１、２の構成につき図を参照して更に説明する。
【００２２】
図４〜図９に従い支柱３に取り付けたハンガーパイプ３１、３１、３２の構成につき説明する。図に示すように、支柱３の上端部及び中央部にパイプ支持部材３３が取り付けられている。このパイプ支持部材３３にハンガーパイプ３１、３１、３２がピン３３ａを介して揺動自在に取り付けられている。ハンガーパイプ３１、３１、３２は、図６に示す支柱３に沿って閉じた状態から図４及び図５に示すように、支柱３に対して直交するように開かれ、側壁パネル１、２の連結金具６に嵌め込まれる。
【００２３】
各ハンガーパイプ３１、３２には、内パイプ３１ａ、３２ａがそれぞれ挿入されており、図７に示すように縮めた状態から図８に示すように伸ばした状態へとその長さが変更可能になっており、所定の長さでつまみ付きねじ９を締め付けることにより、内パイプ３１ａ、３２ａがハンガーパイプ３１、３２に固定される。
【００２４】
図９に示すように、内パイプ３１ａ、３２ａの先端には、連結金具６に嵌め込まれる舌片３４が設けられている。また、舌片３４には、連結金具６の貫通穴６２に嵌まり込む凸部３４ａが設けられている。
【００２５】
図１０〜図１２に示すように、連結金具６は、内パイプ３１ａ、３２ａの先端に設けられた舌片３４が嵌め込まれる収納凹所６１が設けられ、この収納凹所６１に貫通穴６２が設けられている。
【００２６】
連結金具６の収納凹所６１に舌片３４を嵌め込むと、貫通穴６２に舌片３４の凸部３４ａが入り込み、舌片３４と連結金具６とが固定され、連結金具６にハンガーパイプ３１、３２が固定される。この貫通穴６２に舌片３４に設けられた凸部３４ａが嵌まり込むことで、収納凹所６１に嵌め込まれた舌片３４が抜けるのを防止している。連結金具６の収納凹所の６１の周囲には鍔部６３が設けられ、この鍔部６３に、この実施形態では３箇所、即ち、収納凹所６１を挟んで左右とその下に穴６４が設けられ、図１２に示すように、この穴６４にねじ６５を通し、側壁パネル１、２の所定箇所に連結金具６が取り付けられる。
【００２７】
この実施形態においては、図１３に示すように、側壁パネル１の上部と中央部に連結金具６がねじ６５により取り付けられている。上部に取り付けられた連結金具６に支柱３の上端部に取り付けられたハンガーパイプ３１の舌片３４が嵌め込まれる。中央部に取り付けられた連結金具６が支柱３の中央部に取り付けられたハンガーパイプ３２の舌片３４が嵌め込まれる。
【００２８】
また、図１４に示すように、側壁パネル２には、上部に連結金具６がねじ６５により取り付けられている。この連結金具６に支柱３の上端部に取り付けられたハンガーパイプ３１の舌片３４が嵌め込まれる。
【００２９】
次に、この支柱３、連結金具６を用いた組立式クローゼットハンガーの組立について、図１５ないし図２１を参照して説明する。
【００３０】
図１５〜図１７に示すように、支柱３の上端部に取り付けられたハンガーパイプ３１を横に広げて、側壁パネル１に取り付けた２箇所の連結金具６、６の上側の連結金具６の収納凹所６１に内パイプ３１ａの先端に取り付けた舌片３４を差し込み、舌片３４の凸部３４ａを連結金具６の貫通穴６２に嵌め込む。同様に、柱３の中央部に取り付けられたハンガーパイプ３２を横に広げて、側壁パネル１の中央部に取り付けた連結金具６の収納凹所６１に内パイプ３２ａの先端に取り付けた舌片３４を差し込み、舌片３４の凸部３４ａを連結金具６の貫通穴６２に嵌め込む。このようにして、側壁パネル１に支柱３のハンガーパイプ３１、３２を取り付ける。
【００３１】
続いて、図１８及び図１９に示すように、支柱３の上端部に取り付けられた他方のハンガーパイプ３１を横に広げて、側壁パネル２に取り付けた連結金具６の収納凹所６１に内パイプ３１ａの先端に取り付けた舌片３４を差し込み、舌片３４の凸部３４ａを連結金具６の貫通穴６２に嵌め込み、支柱３、側壁パネル１、２が組み立てられる。この状態で、側壁パネル１、２の間が支柱３の上端部に取り付けたハンガーパイプ３１で支持され、側壁パネル１、２の下辺と支柱３の下端部とで、これら３つの部材が自立した状態となる。このため、組立てを行う需要者等の作業者は、これら部材を手で保持する必要がなくなり、次の工程による作業が容易になる。
【００３２】
その後、図２０及び図２１に示すように、側壁パネル１、２の上端の正面側と背面側に、それぞれ上部固定パイプ４、４をボルト４１により固定する。この上部固定パイプ４には先端にナットが形成された内パイプ４ａが挿入されている。側壁パネル１、２に設けられた穴１ａ、２ａからボルト４１を通し、内パイプ４ａのナットにボルト４１をねじ込み、側壁パネル１、２の上端の正面側と背面側に、上部固定パイプ４、４が固定される。
【００３３】
更に、側壁パネル１、２の背面側の中央部に、一対の横パイプ５１を縦パイプ５２で接続した横桟部材５をボルト５３により固定する。この横パイプ５１には先端にナットが形成された内パイプ５１ａが挿入されている。側壁パネル１、２に設けられた穴１ａ、２ａからボルト５３を通し、内パイプ５１ａのナットにボルト５３をねじ込み、側壁パネル１、２の上端の正面側と背面側に、横桟部材５が固定される。このようにして、図１〜図３に示すこの第１の実施形態による組立式クローゼットハンガーが組み立てられる。
【００３４】
上記したように、この第１の実施形態においては、ハンガーパイプ３１、３２と側壁パネル１、２とは、連結金具６にハンガーパイプ３１、３２の舌片３４を嵌め込むことで組立が行え、ボルトによる固定は、上部固定パイプ４と横桟部材５の取り付けだけに省くことができる。そして、上部固定パイプ４と横桟部材５の取り付けの際には、側壁パネル１、２が自立しているので、作業者は、側壁パネル１、２を支えることなく、作業が行えるので、その作業性も良好である。
【００３５】
図１〜図３に示すものは、内パイプ４ａ、３１ａ、３２ａ、５１ａを縮めた状態を示している。図２２及び図２３は内パイプ４ａ、３１ａ、３２ａ、５１ａを伸ばした状態である。希望する幅の側壁パネル１、２の間隔に応じて内パイプ４ａ、３１ａ、３２ａ、５１ａをそれぞれ伸ばし、ねじ付きつまみ９により、内パイプ３１ａ、３２ａ、５１ａを固定する。そして、上記した順序で組み立てることにより、図２２及び図２３に示すように、左右両側に側壁パネル１、２の間隔を広げたクローゼットハンガーが得られる。
【００３６】
次に、この発明の第２の実施形態につき図面を参照して説明する。図２４は、この発明の第２の実施形態にかかる組立式クローゼットハンガーを示している。
【００３７】
この組立式クローゼットハンガーは、一方の側壁パネルとしてラック２０を用い、この、ラック２０の側壁パネル２１と他の側壁パネル１が所定の間隔で配置されている。ラック２０の側壁パネル２１と側壁パネル１間に縦桟部材としての仕切りパイプ３０の上部に揺動自在に取り付けられた横桟としてのハンガーパイプ３１、３１及び天板受けパイプ３５が取り付けられる。側壁パネル１の中央部にハンガーパイプ３２が取り付けられる。
【００３８】
図２５〜図２９に示すように、この仕切りパイプ３０は、一対の縦パイプ３０ａ、３０ａ間を上下と中央部の３箇所で横桟３０ｂにより接続されて構成されている。縦パイプ３０ａの上端部と、上側の横桟３０ｂと中央部の横桟３０ｂの中央部にそれぞれパイプ支持部材３３が取り付けられている。上側の横桟３０ｂの両側に取り付けられたパイプ支持部材３３にハンガーパイプ３１、３１がピン３３ａを介して揺動自在に取り付けられている。中央部の横桟３０ｂの一方の側に取り付けられたパイプ支持部材３３に、ハンガーパイプ３２がピン３３ａを介して揺動自在に取り付けられている。また、縦パイプ３０ａの上端部の両側に取り付けられたパイプ支持部材３３に天板受けパイプ３５、３５が揺動自在に取り付けられている。
【００３９】
ハンガーパイプ３１、３１、３２及び天板受けパイプ３５は、図２７〜図２９に示す仕切りパイプ３０に沿って閉じた状態から図２５及び図２６に示すように、仕切りパイプ３０に対して直交するように広げられ、側壁パネル１、２１に取り付けた連結金具６に嵌め込まれる。このハンガーパイプ３１、３１、３２及び天板受けパイプ３５と側壁パネル１、２１との取り付けについては後述する。
【００４０】
この第２の実施形態も前述した第１の実施形態と同様に各ハンガーパイプ３１、３２及び天板受けパイプ３５には、内パイプ３１ａ、３２ａ、３５ａがそれぞれ挿入されており、縮めた状態から伸ばした状態へとその長さが変更可能になっており、所定の長さでつまみ付きねじ９を締め付けることにより、内パイプ３１ａ、３２ａ、３５ａがハンガーパイプ３１、３２及び天板受けパイプ３５に固定される。
【００４１】
内パイプ３１ａ、３２ａ、３５ａの先端には、連結金具６に嵌め込まれる舌片３４が設けられている。また、舌片３４には、連結金具６の貫通穴６２に嵌まり込む凸部３４ａが設けられている。
【００４２】
図２４及び図３０に示すように、ラック２０は、側壁パネル２１にヒンジ２９により前面板２２と背面板２３が取り付けられ、前面板２２と背面板２３を側壁パネル２１に対して直交方向に開くと前方に開口した箱形体に形成される。そして、ラック天板２４、ラック地板２５、ラック固定棚２６が側壁パネル２１、前面板２２と背面板２３との間に連結金具６と取付金具２４ａを用いた嵌め込みにより固定されている。さらに、ラック可動棚２７が前面板２２と背面板２３に設けられたダボ穴２２ｄ、２３ｄに挿入された金属ダボ（図示せず）上に載置されている。ラック２０の組立については後述する。この実施形態では、前面板２３にミラーパネル２０Ｍが取り付けられている。
【００４３】
側壁パネル１、２１の上端の正面側と背面側には、それぞれ上部固定パイプ４、４がボルト４１を用いて固定されている。更に、側壁パネル１、２１の背面側の中央部には、一対の横パイプ５１を縦パイプ５２で接続した横桟部材５がボルト５３を用いて固定されている。
【００４４】
天板受けパイプ３５、３５の上に網棚４５が載置され、正面側の天板受けパイプ３５にカーテン等が必要に応じて取り付けられる。
【００４５】
この第２の実施形態も第１の実施形態と同様に上記した各パイプには、内パイプがそれぞれ挿入されており、左右両側に側壁パネル１、ラック２０の間隔が自由に変更可能に構成されている。所定の間隔に設定すると、ねじ付きつまみ９により、内パイプを固定する。
【００４６】
上記した組立式クローゼットハンガーは、ボルトによる固定をできるだけ減らしている。このため、仕切りパイプ３０に取り付けたハンガーパイプ３１、３１、３２及び天板受けパイプ３５と側壁パネル１、２１との取り付けを側壁パネル１、２１に取り付けた連結金具６にハンガーパイプ３１、３１、３２及び天板受けパイプ３５の先端に設けた舌片３４を嵌め込むことにより固定し、組み立て作業を簡易化している。また、ラック２０の固定もボルトによる固定を減らしている。側壁パネル２１、前面板２２、背面板２３にそれぞれ取り付けた連結金具６にラック天板２４、ラック地板２５、ラック固定棚２６に設けた取付金具２４ａの舌片２４ｂを嵌め込むことにより固定し、組み立て作業を簡易化している。以下、第２の実施形態の組立について図を参照して更に説明する。
【００４７】
図３０〜図３２に示すように、ラック２０は、側壁パネル２１にヒンジ２９により前面板２２と背面板２３が取り付けられ、前面板２２と背面板２３を側壁パネル２１に対して直交方向に開くと前方に開口した箱形体に形成される。
【００４８】
ラック２０の側壁パネル２１には、ハンガーパイプ３１、天板受けパイプ３５が取り付けられる位置に連結金具６がねじ６５により固定されている。更に、側壁パネル２１の上端近傍には、ラック天板２４を嵌め込むための連結金具６がねじ６５により取り付けられている。前面板２２、背面板２３の上端近傍にもラック天板２４を嵌め込むための連結金具６がねじ６５により取り付けられている。
【００４９】
側壁パネル２１の底部近傍には、ラック地板２５を嵌め込むための連結金具６がねじ６５により取り付けられている。前面板２２、背面板２３の底部近傍にもラック地板２５を嵌め込むための連結金具６がねじ６５により取り付けられている。
【００５０】
側壁パネル２１の中央部には、ラック固定棚２６を嵌め込むための連結金具６がねじ６５により取り付けられている。前面板２２、背面板２３の中央部にもラック固定棚２６を嵌め込むための連結金具６がねじ６５により取り付けられている。
【００５１】
図３３は、ラック天板、ラック地板を示す斜視図、図３４は、ラック天板、ラック地板を示す斜視図である。ラック天板２４、ラック地板２５の側壁パネルと接する側と前面板、背面板のそれぞれ接する両側面の中央部に、連結金具６に嵌まり込むＬ字型の取付金具２４ａがねじ６６により取り付けられている。この取付金具２４ａには、連結金具６の収納凹所６１に嵌まり込む舌片２４ｂと貫通穴６２に嵌まり込む凸部２４ｃが設けられている。
【００５２】
同様に、ラック固定棚２６の側壁パネルと接する側と前面板、背面板のそれぞれ接する両側面の中央部に、連結金具６に嵌まり込むＬ字型の取付金具２４ａがねじ６６により取り付けられている。ラック固定棚２６はラック２０の前面板２２と背面板２３との間に収容されるので、ラック天板２４、ラック地板２５より小さく側壁パネル２１と前面板２２、背面板２３に接する大きさに形成されている。
【００５３】
この第２の実施形態においては、ラック２０には、側壁パネル２１にパイプ固定用に３つの連結金具６と、ラック天板２４、ラック地板２５、ラック固定棚２６の固定用に３つの連結金具６が取り付けられている。前面板２２、背面板２３にはラック天板２４、ラック地板２５、ラック固定棚２６の固定用に３つの連結金具６が取り付けられている。
【００５４】
図３０〜図３４に示すように、前面板２２と背面板２３を側壁パネル２１に対して直交方向に開くと前方に開口した箱形体に形成され、図３５〜図３７に示すように、ラック２０の上方からラック天板２４の取付金具２４ａの舌片２４ｂを連結金具６の収納凹所６１に合わせて嵌め込む。そして、取付金具２４ａの舌片２４ｂの凸部２４ｃを連結金具６の貫通穴６２に嵌め込むことにより、側壁パネル２１、前面板２２、背面板２３の上部にラック天板２４が固定される。同様に、ラック２０の下方からラック地板２５の取付金具２４ａの舌片２４ｂを連結金具６の収納凹所６１に合わせて嵌め込む。そして、取付金具２４ａの舌片２４ｂの凸部２４ｃを連結金具６の貫通穴６２に嵌め込むことにより、側壁パネル２１、前面板２２、背面板２３の底部にラック地板２５が固定される。ラック２０の中央部の上方からラック固定棚２６の取付金具２４ａの舌片２４ｂを連結金具６の収納凹所６１に合わせて嵌め込む。そして、取付金具２４ａの舌片２４ｂの凸部２４ｃを連結金具６の貫通穴６２に嵌め込むことにより、側壁パネル２１、前面板２２、背面板２３の中央部にラック固定棚２６が固定される。
【００５５】
図３８及び図３９に示すように、ラック天板２４、ラック地板２５、ラック固定棚２６が側壁パネル２１、背面板２２と前面板２３との間に連結金具６と取付金具２４ａを用いた嵌め込みにより固定されている。このように、嵌め込みだけでラック２０を組み立てることができるので、組立が容易である。また、このラック２０は、組み立てると自立するので、次の組み立て作業の際には、作業者が両手で仕切りパイプ３０を持つことができるので、組み立て作業が容易になる。
【００５６】
次に、ラック２０に仕切りパイプ３０の各パイプを取り付ける。ハンガーパイプ３１、及び天板受けパイプ３５は、図２７〜図２９に示す仕切りパイプ３０に沿って閉じた状態から図２５及び図２６に示すように、仕切りパイプ３０に対して直交するように広げられ、側壁パネル２１に取り付けた連結金具６に嵌め込まれる。
【００５７】
前述したように、各ハンガーパイプ３１、３２及び天板受けパイプ３５の内パイプ３１ａ、３２ａ、３５ａは、縮めた状態から伸ばした状態へとその長さが変更可能になっており、所定の長さでつまみ付きねじ９を締め付けて内パイプ３１ａ、３２ａ、３５ａをハンガーパイプ３１、３２及び天板受けパイプ３５に固定する。図４０〜図４２に示すように、内パイプ３１ａ、３２ａ、３５ａの先端に設けた舌片３４を連結金具６の収納凹所６１に差し込む。そして、舌片３４の凸部３４ａを連結金具６の貫通穴６２に嵌め込み、ハンガーパイプ３１、３１、３２及び天板受けパイプ３５を側壁パネル２１に取り付ける。
【００５８】
続いて、図４３及び図４４に示すように、仕切りパイプ３０に取り付けられたハンガーパイプ３１、３２及び天板受けパイプ３５を横に広げて、側壁パネル１に取り付けた４箇所の連結金具６の上側の各連結金具６の収納凹所６１に内パイプ３１ａ及び内パイプ３５ａそれぞれの先端に取り付けた舌片３４を差し込み、舌片３４の凸部３４ａを連結金具６の貫通穴６２に嵌め込む。同様に、中央部に取り付けられたハンガーパイプ３２を横に広げて、側壁パネル１の中央部に取り付けた連結金具６の収納凹所６１に内パイプ３２ａの先端に取り付けた舌片３４を差し込み、舌片３４の凸部３４ａを連結金具６の貫通穴６２に嵌め込む。このようにして、側壁パネル１に仕切りパイプ３０のハンガーパイプ３１、３２及び天板受けパイプ３５を取り付ける。
【００５９】
その後、図４５及び図４６に示すように、側壁パネル１、２１の上端の正面側と背面側に、それぞれ上部固定パイプ４、４をボルト４１により固定する。この上部固定パイプ４には先端にナットが形成された内パイプ４ａが挿入されている。側壁パネル１、２に設けられた穴１ａ、２ａからボルト４１を通し、内パイプ４ａのナットにボルト４１をねじ込み、側壁パネル１、２１の上端の正面側と背面側に、上部固定パイプ４、４が固定される。
【００６０】
更に、図４７及び図４８に示すように、側壁パネル１、２１の背面側の中央部に、一対の横パイプ５１を縦パイプ５２で接続した横桟部材５をボルト５３により固定する。この横パイプ５１には先端にナットが形成された内パイプ５１ａが挿入されている。側壁パネル１、２に設けられた穴１ａ、２ａからボルト４１を通し、内パイプ５１ａのナットにボルト４１をねじ込み、側壁パネル１、２１の背面側に、横桟部材５が固定される。図４９に示すように、天板受けパイプ３５の上に網棚４５が載置される。さらに、ラック可動棚２７が背面板２２と前面板２３に設けられたダボ穴２２ｄ、２３ｄに金属ダボを挿入し、金属ダボの上にラック可動棚２７を載置する。このようにして、図２４に示すこの第２の実施形態による組立式クローゼットハンガーが組み立てられる。
【００６１】
上記したように、この第２の実施形態においては、ハンガーパイプ３１、３２及び天板受けパイプ３５と側壁パネル１、２１とは、連結金具６にハンガーパイプ３１、３２及び天板受けパイプ３５の舌片３４を嵌め込むことで組立が行え、ボルトによる固定は、上部固定パイプ４と横桟部材５の取り付けだけに省くことができる。更に、ラック天板２４、ラック地板２５、ラック固定棚２６が側壁パネル２１、背面板２２と前面板２３との間に連結金具６と取付金具２４ａを用いた嵌め込みにより固定されている。このように、嵌め込みだけでラック２０を組み立てることができるので、組立が容易である。また、このラック２０は、組み立てると自立するので、以降の組み立て作業の際には、作業者が両手で仕切りパイプ３０を持つことができるので、組み立て作業が容易になる。
【００６２】
図２４に示すものは、内パイプ４ａ、３１ａ、３２ａ、３５ａ、５１ａを縮めた状態を示している。図５０は内パイプ４ａ、３１ａ、３２ａ、３５ａ、５１ａを伸ばした状態である。希望する幅の側壁パネル１、２の間隔に応じて内パイプ４ａ、３１ａ、３２ａ、３５ａ、５１ａをそれぞれ伸ばし、ねじ付きつまみ９により、内パイプ３１ａ、３２ａ、３５ａ、５１ａを固定する。そして、上記した順序で組み立てることにより、図５０に示すように、左右両側に側壁パネル１、ラック２０の間隔を広げたクローゼットハンガーが得られる。
【符号の説明】
【００６３】
１、２  側壁パネル
３  支柱
３１、３２  ハンガーパネル
３１ａ、３２ａ  内パイプ
３４  舌片
３４ａ  凸部
４  上部固定パイプ
５  横桟部材
６  連結部材
６１  収納凹所
６２  貫通穴
【図１】
2014204803.tif 000003
【図２】
2014204803.tif 000004
【図３】
2014204803.tif 000005
【図４】
2014204803.tif 000006
【図５】
2014204803.tif 000007
【図６】
2014204803.tif 000008
【図７】
2014204803.tif 000009
【図８】
2014204803.tif 000010
【図９】
2014204803.tif 000011
【図１０】
2014204803.tif 000012
【図１１】
2014204803.tif 000013
【図１２】
2014204803.tif 000014
【図１３】
2014204803.tif 000015
【図１４】
2014204803.tif 000016
【図１５】
2014204803.tif 000017
【図１６】
2014204803.tif 000018
【図１７】
2014204803.tif 000019
【図１８】
2014204803.tif 000020
【図１９】
2014204803.tif 000021
【図２０】
2014204803.tif 000022
【図２１】
2014204803.tif 000023
【図２２】
2014204803.tif 000024
【図２３】
2014204803.tif 000025
【図２４】
2014204803.tif 000026
【図２５】
2014204803.tif 000027
【図２６】
2014204803.tif 000028
【図２７】
2014204803.tif 000029
【図２８】
2014204803.tif 000030
【図２９】
2014204803.tif 000031
【図３０】
2014204803.tif 000032
【図３１】
2014204803.tif 000033
【図３２】
2014204803.tif 000034
【図３３】
2014204803.tif 000035
【図３４】
2014204803.tif 000036
【図３５】
2014204803.tif 000037
【図３６】
2014204803.tif 000038
【図３７】
2014204803.tif 000039
【図３８】
2014204803.tif 000040
【図３９】
2014204803.tif 000041
【図４０】
2014204803.tif 000042
【図４１】
2014204803.tif 000043
【図４２】
2014204803.tif 000044
【図４３】
2014204803.tif 000045
【図４４】
2014204803.tif 000046
【図４５】
2014204803.tif 000047
【図４６】
2014204803.tif 000048
【図４７】
2014204803.tif 000049
【図４８】
2014204803.tif 000050
【図４９】
2014204803.tif 000051
【図５０】
2014204803.tif 000052